(57)【特許請求の範囲】
【請求項１】
一次側回転軸と二次側回転軸との間の変速比を連続的に変化させる無段変速機と、前記無段変速機の二次側回転軸よりの回転を減速すると共にその回転方向を車輌の前進回転方向又は後進回転方向へ切り換えて出力部材へ伝達する遊星歯車装置であって、前記二次側回転軸に連結されたサンギヤと、リングギヤと、前記サンギヤ及び前記リングギヤと噛み合うプラネタリギヤを回転可能に支持するキャリヤとを有する遊星歯車装置と、前記遊星歯車装置の連結状態を切り換える連結切換装置とを備えた車輌用無段変速装置に於いて、前記プラネタリギヤは前記リングギヤと噛み合う第一のギヤと前記出力部材のギヤと噛み合う第二のギヤとを有し、前記連結切換装置は前記リングギヤの回転を拘束し且つ前記キャリヤの回転を許容する状態と、前記キャリヤの回転を拘束し且つ前記リングギヤの回転を許容する状態とに切り換わることを特徴とする車輌用無段変速装置。
【請求項２】
前記二次側回転軸に連結されたパーキング用ギヤを有し、前記連結切換装置は前記二つの状態に加えて前記パーキング用ギヤ及び前記キャリヤを非回転部材に連結することにより前記パーキング用ギヤの回転を拘束する状態に切り換わることを特徴とする請求項１に記載の車輌用無段変速装置。
【請求項３】
前記第一及び第二のギヤは互いに異なるピッチ円直径を有することを特徴とする請求項１又は２に記載の車輌用無段変速装置。
【請求項４】
前記第一のギヤは前記第二のギヤよりも大きいピッチ円直径を有することを特徴とする請求項３に記載の車輌用無段変速装置。
【発明の詳細な説明】
【０００１】
【発明の属する技術分野】
本発明は、車輌の変速装置に係り、更に詳細には変速比を無段階に変化可能な車輌用無段変速装置に係る。
【０００２】
【従来の技術】
自動車等の車輌の無段変速装置の一つとして、例えば本願出願人の出願にかかる特開２００１−２２７６１５号公報に記載されている如く、一次側回転軸と二次側回転軸との間の変速比を連続的に変化する無段変速機と、該無段変速機の二次側回転軸を経て伝達された駆動力を後段へ出力する出力部材とを備えた車輌用無段変速装置であって、無段変速機の二次側回転軸からの回転を減速し且つ車輌の前進回転方向又は後進回転方向へ切り換えて後段へ伝達すべく、サンギヤと、リングギヤと、サンギヤ及びリングギヤと噛み合うプラネタリギヤを回転可能に支持するキャリヤとから成る３要素のうちの第１要素が二次側回転軸に連結された遊星歯車装置と、前記３要素のうち第１要素を除く２要素の一方を非回転部材に連結すると同時に他方を出力部材に連結する状態と、他方を非回転部材に連結すると同時に一方を出力部材に連結する状態とに切り換えられる連結切換装置とを含む無段変速装置が従来より知られている。
【０００３】
この先の提案にかかる無段変速装置によれば、遊星歯車装置は連結切換装置によって連結状態が切り換えられることにより、前後進切換装置として機能すると共に減速装置としても機能するので、減速歯車装置を用いる必要がなく、これにより車輌用無段変速装置を従来に比較して小型化することができる。
【０００４】
【発明が解決しようとする課題】
しかし上述の如き従来の無段変速装置に於いては、遊星歯車装置は、サンギヤとリングギヤとキャリヤとから成る３要素のうち無段変速機の二次側回転軸に連結された第１要素を除く２要素の一方を非回転部材に連結すると同時に他方を出力部材に連結する状態と、他方を非回転部材に連結すると同時に一方を出力部材に連結する状態とに切り換えられなければならないため、連結切換装置の構造を単純化することが困難であり、車輌用無段変速装置を更に小型化し、構造を単純化し、部品点数を低減する上で改善の余地がある。
【０００５】
特に連結切換装置は、上記２要素の一方を非回転部材に連結すると同時に他方を出力部材に連結し、他方を非回転部材に連結すると同時に一方を出力部材に連結しなければならないため、好ましくは上記２要素の一方又は他方を非回転部材に連結する第一の同期噛合型連結装置及び上記２要素の他方又は一方を出力部材に連結する第二の同期噛合型連結装置の二つの同期噛合型連結装置が必要であり、これらの同期噛合型連結装置は互いに同期して駆動されなければならず、また第一の同期噛合型連結装置は非回転状態に維持されなければならないのに対し、第二の同期噛合型連結装置は駆動力伝達状態に於いて上記２要素の何れか及び出力部材と共に回転しなければならず、従って第二の同期噛合型連結装置は第一の同期噛合型連結装置に対し相対的に回転可能に且つ第一の同期噛合型連結装置と同期して移動可能に連結されなければなず、そのため車輌用無段変速装置の耐久性を向上させる上でも改善の余地がある。
【０００６】
本発明は、非回転部材及び出力部材に対する遊星歯車装置の二つの要素の連結状態が同時に切り換えられるよう構成された従来の無段変速装置に於ける上述の如き問題に鑑みてなされたものであり、本発明の主要な課題は、キャリヤにより回転可能に支持されるプラネタリギヤの構造を工夫し、遊星歯車装置の二つの要素の連結状態を択一的に切り換えることによって遊星歯車装置の連結状態の切り換えを単純に行い得るよう構成することにより、上記先の提案にかかる無段変速装置の場合よりも更に一層無段変速装置を小型化し、構造を単純化し、部品点数を低減し、耐久性を向上させることである。
【０００７】
【課題を解決するための手段】
上述の主要な課題は、本発明によれば、請求項１の構成、即ち一次側回転軸と二次側回転軸との間の変速比を連続的に変化させる無段変速機と、前記無段変速機の二次側回転軸よりの回転を減速すると共にその回転方向を車輌の前進回転方向又は後進回転方向へ切り換えて出力部材へ伝達する遊星歯車装置であって、前記二次側回転軸に連結されたサンギヤと、リングギヤと、前記サンギヤ及び前記リングギヤと噛み合うプラネタリギヤを回転可能に支持するキャリヤとを有する遊星歯車装置と、前記遊星歯車装置の連結状態を切り換える連結切換装置とを備えた車輌用無段変速装置に於いて、前記プラネタリギヤは前記リングギヤと噛み合う第一のギヤと前記出力部材のギヤと噛み合う第二のギヤとを有し、前記連結切換装置は前記リングギヤの回転を拘束し且つ前記キャリヤの回転を許容する状態と、前記キャリヤの回転を拘束し且つ前記リングギヤの回転を許容する状態とに切り換わることを特徴とする車輌用無段変速装置によって達成される。
【０００８】
また本発明によれば、上述の主要な課題を効果的に達成すべく、上記請求項１の構成に於いて、前記二次側回転軸に連結されたパーキング用ギヤを有し、前記連結切換装置は前記二つの状態に加えて前記パーキング用ギヤ及び前記キャリヤを非回転部材に連結することにより前記パーキング用ギヤの回転を拘束する状態に切り換わるよう構成される（請求項２の構成）。
【０００９】
また本発明によれば、上述の主要な課題を効果的に達成すべく、上記請求項１又は２の構成に於いて、前記第一及び第二のギヤは互いに異なるピッチ円直径を有するよう構成される（請求項３の構成）。
また本発明によれば、上述の主要な課題を効果的に達成すべく、上記請求項３の構成に於いて、前記第一のギヤは前記第二のギヤよりも大きいピッチ円直径を有するよう構成される（請求項４の構成）。
【００１０】
【発明の作用及び効果】
上記請求項１の構成によれば、遊星歯車装置のプラネタリギヤはリングギヤと噛み合う第一のギヤと出力部材のギヤと噛み合う第二のギヤとを有し、連結切換装置はリングギヤの回転を拘束し且つキャリヤの回転を許容する状態と、キャリヤの回転を拘束し且つリングギヤの回転を許容する状態とに切り換わり、これにより出力部材へ伝達される回転方向が車輌の前進回転方向と後進回転方向とに切り換えられるので、連結切換装置はリングギヤ又はキャリヤの連結状態のみを切り換えればよく、またリングギヤ又はキャリヤと共に回転する必要がなく、更には出力部材へ伝達される回転方向が車輌の前進回転方向及び後進回転方向の何れの場合にも入力部材の回転を減速して出力部材へ伝達させることができる。
【００１１】
従って遊星歯車装置の二つの要素の連結状態が互いに同期して切り換えられなければならず互いに相対回転し同期駆動される二つの同期噛合型連結装置を必要とする上述の先の提案にかかる無段変速装置の場合に比して、連結切換装置の構造を単純化することができ、これにより上記先の提案にかかる無段変速装置の場合よりも更に一層無段変速装置を小型化し、構造を単純化し、部品点数を低減し、耐久性を向上させることができる。
【００１２】
また上記請求項２の構成によれば、二次側回転軸に連結されたパーキング用ギヤが設けられ、連結切換装置は前記二つの状態に加えてパーキング用ギヤ及びキャリヤを非回転部材に連結することによりパーキング用ギヤの回転を拘束する状態に切り換わるので、連結切換装置により無段変速装置をパーキング位置に設定することができ、連結切換装置とは独立のパーキング位置設定装置は不要であり、従ってこのことによっても上記先の提案にかかる無段変速装置の場合よりも更に一層無段変速装置を小型化し、構造を単純化し、部品点数を低減することができる。
【００１３】
また上記請求項３の構成によれば、第一及び第二のギヤは互いに異なるピッチ円直径を有するので、連結切換装置によってリングギヤの回転を拘束する状態とキャリヤの回転を拘束する状態とに切り換えることにより、出力部材へ伝達される回転方向を車輌の前進回転方向と後進回転方向とに切り換えると共に変速比を変化させることができ、これにより前進段及び後進段の変速比の設定の自由度を高くすることができる。
また上記請求項４の構成によれば、第一のギヤは第二のギヤよりも大きいピッチ円直径を有するので、無段変速装置の大型化を招来することなく前進段及び後進段の何れについても高い減速比を達成することができる。
【００１４】
【課題解決手段の好ましい態様】
本発明の一つの好ましい態様によれば、上記請求項１乃至４の何れか一つの構成に於いて、連結切換装置はリングギヤを非回転部材に連結することによりリングギヤの回転を拘束し、キャリヤを非回転部材に連結することによりキャリヤの回転を拘束するよう構成される（好ましい態様１）。
【００１６】
本発明の他の一つの好ましい態様によれば、上記請求項１乃至４の何れか一つの構成に於いて、連結切換装置は同期噛合型連結装置を含み、同期噛合型連結装置はキャリア及びリングギヤに固定され互いに隔置された第一及び第二の噛合歯車と、これらの歯車の間に配置され互いに隔置された第一及び第二の同期リングと、遊星歯車装置の軸線に沿って往復動可能なスライダとを有し、スライダは第一の同期リングと噛み合った後第一の噛合歯車と噛み合うことによりキャリアの回転を拘束し且つリングギヤの回転を許容し、第二の同期リングと噛み合った後第二の噛合歯車と噛み合うことによりリングギヤの回転を拘束し且つキャリヤの回転を許容するよう構成される（好ましい態様２）。
【００１７】
本発明の他の一つの好ましい態様によれば、上記請求項１乃至４の何れか一つの構成に於いて、プラネタリギヤの第二のギヤは出力部材のギヤの内周歯と噛み合うよう構成される（好ましい態様３）。
【００１８】
本発明の他の一つの好ましい態様によれば、上記請求項１乃至４の何れか一つの構成に於いて、出力部材は差動歯車装置であり、出力部材のギヤは差動歯車装置の入力ギヤであるよう構成される（好ましい態様４）。
【００１９】
本発明の他の一つの好ましい態様によれば、上記請求項２の構成に於いて、連結切換装置はリングギヤ、キャリヤ、パーキング用ギヤの回転を拘束しない第一の状態と、リングギヤの回転を拘束し且つキャリヤ及びパーキング用ギヤの回転を拘束しない第二の状態と、キャリヤの回転を拘束し且つリングギヤ及びパーキング用ギヤの回転を拘束しない第三の状態と、キャリヤ及びパーキング用ギヤの回転を拘束する第四の状態とに切り換わるよう構成される（好ましい態様５）。
【００２１】
【発明の実施の形態】
以下に添付の図を参照しつつ、本発明を好ましい実施形態について詳細に説明する。
【００２２】
図１はベルト式無段変速装置として構成された本発明による車輌用無段変速装置の一つの実施形態を示すスケルトン図、図２は図１に示された実施形態の要部を拡大して示すスケルトン図である。尚これらの図に於いて、遊星歯車装置等の下半分の図示は一部省略されている。
【００２３】
図１に於いて、図示の無段変速装置はベルト式無段変速機１０を含み、無段変速機１０はエンジンや電動モータの如き原動機１２より駆動力が入力される一次側回転軸、即ち入力軸１４と、該入力軸に平行に延在し回転可能に支持された中空状の二次側回転軸、即ち出力軸１６と、それぞれ入力軸１４及び出力軸１６に設けられ有効径を変化可能な可変プーリ１８及び２０と、これらのプーリのＶ字形の溝に巻き掛けられた伝動ベルト２２とを有している。
【００２４】
可変プーリ１８は入力軸１４に固定された固定回転体２４と、入力軸１４の周りに相対回転不能に且つ軸線方向に相対移動可能に入力軸１４に支持された可動回転体２６とよりなり、固定回転体２４及び可動回転体２６は互いに共働して伝動ベルト２２を受けるＶ字形の溝を郭定している。同様に、可変プーリ２０は出力軸１６に固定された固定回転体２８と、出力軸１６の周りに相対回転不能に且つ軸線方向に相対移動可能に出力軸１６に支持された可動回転体３０とよりなり、固定回転体２８及び可動回転体３０は互いに共働して伝動ベルト２２を受けるＶ字形の溝を郭定している。
【００２５】
図には示されていないが、入力軸１４及び出力軸１６にはそれぞれ可動回転体２６及び３０を軸線に沿って移動させる油圧シリンダが設けられており、可動回転体２６は変速比制御弁によって対応する油圧シリンダが制御されることにより、固定回転体２４に対し相対的に入力軸１４に沿って変位し、これにより可変プーリ１８の有効径が変更され、無段変速装置１０の変速比γ、即ち出力軸１６の回転数Ｎoutに対する入力軸１４の回転数Ｎinの比が調節される。また可動回転体３０は張力制御圧調圧弁によって対応する油圧シリンダが制御されることにより、固定回転体２６に対し相対的に出力軸１６に沿って変位し、これにより固定回転体２６と共働して伝動ベルト２２に対する挾圧力を変更し伝動ベルト２２の張力を適正な値に制御する。
【００２６】
図示の実施形態に於いては、無段変速機１０に対し原動機１２の側には前後進切換用の遊星歯車装置３２が設けられており、遊星歯車装置３２の軸線は無段変速機１０の出力軸１６の軸線と整合している。図示の遊星歯車装置３２はサンギヤ入力型であり、出力軸１６よりの回転駆動力が直接入力されるよう出力軸１６に連結されたサンギヤ３４と、サンギヤ３４と同軸に回転可能に設けられたリングギヤ３６と、サンギヤ３４及びリングギヤ３６と噛み合う複数個のプラネタリギヤ３８と、プラネタリギヤ３８を自転可能に且つ公転可能に支持するキャリア４０とを有している。
【００２７】
図示の如く、プラネタリギヤ３８は遊星歯車装置３２の軸線に沿って延在する所謂ステップドピニオンギヤであり、サンギヤ３４及びリングギヤ３６と噛み合う第一のギヤ４２と、出力部材である差動歯車装置（終減速機）４４のギヤ４６の内周歯４６Ａと噛み合う第二のギヤ４８とを有し、図示の実施形態に於いては第一のギヤ４２のピッチ円は第二のギヤ４８のピッチ円よりも大きく設定されている。ギヤ４６は出力軸１６及び遊星歯車装置３２の軸線と同一の軸線の周りに回転可能に支持されており、その軸線に垂直な軸線の周りに回転可能に一対のピニオンギヤ５０を支持している。
【００２８】
差動歯車装置４４は、出力軸１６及び遊星歯車装置３２と同一の軸線の周りに回転可能に設けられピニオンギヤ５０と噛み合う一対のピニオンギヤ５２及び５４２を有し、ピニオンギヤ５２及び５４はそれぞれ遊星歯車装置３２の軸線と同一の軸線の周りに回転可能に支持された第一の駆動軸５６及び第二の駆動軸５８の一端（車輌について見て内端）に固定されている。第一の駆動軸５６は出力軸１６を貫通して延在し、図には示されていない等速ジョイントを介して車輌の左側駆動輪６０に連結され、第二の駆動軸５８は図には示されていない等速ジョイントを介して車輌の右側駆動輪６２に連結されている。
【００２９】
遊星歯車装置３２の前後進等の切換えは連結切換装置６４により行われる。図示の連結切換装置６４は、リングギヤ３６及びキャリア４０の回転を拘束しない第一の状態（ニュートラル位置）と、リングギヤ３６の回転を拘束しキャリア４０の回転を許容する第二の状態（ドライブ位置）と、キャリア４０の回転を拘束しリングギヤ３６の回転を許容する第三の状態（リバース位置）と、出力軸１６に固定されたパーキング用ギヤ６６及びキャリア４０の回転を拘束する第四の状態（パーキング位置）とに遊星歯車装置３２の連結状態を切り換えるようになっている。
【００３０】
連結切換装置６４は遊星歯車装置３２に対し径方向外側に配置された同期噛合型連結装置６８を含んでいる。同期噛合型連結装置６８は、それぞれキャリア４０及びリングギヤ３６に固定され互いに近接して遊星歯車装置３２の軸線方向に隔置された第一の噛合歯車７０及び第二の噛合歯車７２と、これらの歯車の間に配置され互いに近接して軸線方向に隔置された第一の同期リング７４及び第二の同期リング７６と、遊星歯車装置３２の軸線に沿って往復動可能なスライダ７８とを有している。
【００３１】
図２に詳細に示されている如く、第一の噛合歯車７０及び第二の噛合歯車７２は互いに近接する側にそれぞれ円錐面８０及び８２を有し、互いに離れる側にそれぞれ外周歯８４及び８６を有している。第一の同期リング７４及び第二の同期リング７６はそれぞれ円錐面８０及び８２に摩擦係合する円錐面８８及び９０と、それぞれ外周歯８４及び８６に近接して設けられた外周歯９２及び９４とを有している。パーキング用ギヤ６６の外周歯６６Ａは外周歯８４に近接しており、外周歯８４、８６、９２、９４、６６Ａは実質的に同一のピッチ円直径を有している。
【００３２】
スライダ７８は変速装置のハウジング９６に固定されたレール９８により遊星歯車装置３２の軸線の周りに回転不能に且つ該軸線に沿って往復動可能に案内される案内部材７８Ａと、外周歯８４、８６、９２、９４、６６Ａと選択的に噛合可能な内周歯７８Ｂとを有し、運転者により操作される図には示されていないシフトレバーに連動して駆動される。尚連結切換装置６４は図には示されていないシフトレバーに連動して駆動されることにより、リングギヤ３６、キャリア４０、パーキング用ギヤ６６の回転を選択的に拘束し得る限り、任意の構成のものであってよい。
【００３３】
以上の如く構成された無段変速装置に於いて、図には示されていないシフトレバーによりスライダ７８がニュートラル（Ｎ）位置に設定されると、スライダ７８の内周歯７８Ｂは第一の同期リング７４の外周歯９２と第二の同期リング７６の外周歯９４との間にてこれらより隔置され、スライダ７８はリングギヤ３６及びキャリア４０の自由な回転を許し、プラネタリギヤ３８は差動歯車装置４４のギヤ４６に対し相対的に自由に自転し公転するので、変速機１０より遊星歯車装置３２を経て差動歯車装置４４へ至る動力伝達経路が開かれ、無段変速装置は中立状態とされる。
【００３４】
これに対し、スライダ７８がドライブ（Ｄ）位置へ移動されると、スライダ７８の内周歯７８Ｂは外周歯７６と噛み合った後外周歯８６と噛み合い、スライダ７８はリングギヤ３６の回転を拘束すると共にキャリア４６の回転を許容するので、プラネタリギヤ３８はリングギヤ３６に対し自転しつつ公転し、これにより変速機１０の出力軸１６の回転駆動力は遊星歯車装置３２により減速されつつ車輌の前進方向の回転駆動力として差動歯車装置４４のギヤ４６へ伝達される。
【００３５】
またスライダ７８がリバース（Ｒ）位置へ移動されると、スライダ７８の内周歯７８Ｂは外周歯９２と噛み合った後外周歯８４と噛み合い、スライダ７８はキャリア４０の回転を拘束すると共にリングギヤ３６の回転を許容するので、プラネタリギヤ３８は公転することなく自転し、これにより変速機１０の出力軸１６の回転駆動力は遊星歯車装置３２により減速されつつ車輌の後進方向の回転駆動力として差動歯車装置４４のギヤ４６へ伝達される。
【００３６】
更にスライダ７８がパーキング（Ｐ）位置へ移動されると、スライダ７８の内周歯７８Ｂは外周歯８４及び６６Ａと噛み合い、キャリア４０及びパーキング用ギヤ６６の回転が拘束されることにより出力軸１６、サンギヤ３４、プラネタリギヤ３８の回転が拘束されるので、差動歯車装置４４のギヤ４６の回転も拘束され、これにより左右の駆動輪６０及び６２の回転が阻止される。
【００３７】
かくして図示の実施形態によれば、連結切換装置６４のスライダ７８を遊星歯車装置３２の軸線に沿って移動させることにより、リングギヤ３６又はキャリア４０の回転拘束状態を切り換え、これにより遊星歯車装置の連結状態をニュートラル状態、ドライブ状態、リバース状態の三つの連結状態に切り換えることができるので、遊星歯車装置のリングギヤ及びキャリアの二つの要素の連結状態が互いに同期して切り換えられなければならず互いに相対回転し同期駆動される二つの同期噛合型連結装置を必要とする前述の先の提案にかかる無段変速装置の場合に比して、連結切換装置の構造を単純化することができ、これにより無段変速装置を更に一層小型化し、構造を単純化し、部品点数を低減し、耐久性を向上させることができる。
【００３８】
また図示の実施形態によれば、プラネタリギヤ３８はその第一のギヤ４２にてリングギヤ３６と噛み合い第二のギヤ４８にて差動歯車装置４４のギヤ４６と噛み合っているので、第一のギヤ４２及び第二のギヤ４８のピッチ円直径の関係を比較的自由に設定することができ、これにより遊星歯車装置３２のドライブ位置及びリバース位置の減速比の設定の自由度を高くすることができる。
【００３９】
特に図示の実施形態によれば、プラネタリギヤ３８の第一のギヤ４２は第二のギヤ４８よりも大きいピッチ円直径を有するので、遊星歯車装置３２がドライブ位置にあるときの減速比γd及びリバース位置にあるときの減速比γrを高くすることができ、これにより無段変速装置の大型化を招来することなく前進段及び後進段の何れについても高い減速比を達成することができる。
【００４０】
例えばサンギヤ３４の歯数Ｚsを３４とし、プラネタリギヤ３８の第一のギヤ４２の歯数Ｚp1を３２とし、第二のギヤ４８の歯数Ｚp2を１６とし、リングギヤ３６の歯数Ｚr1を９８とし、差動歯車装置４４のギヤ４６の内周歯４６Ａの歯数Ｚr2を９７とすると、減速比γd及びγrはそれぞれ下記の式１及び２にて求められ、何れの減速比をも高くすることができる。
γd＝（１＋Ｚs／Ｚr1）／（Ｚs／Ｚr1−Ｚp2／Ｚp1＊Ｚs／Ｚr2）
＝７．８５                            ……（１）
γr＝−Ｚp1／Ｚp2＊Ｚr2／Ｚs
＝−５．７１                          ……（２）
【００４１】
また図示の実施形態によれば、出力軸１６にパーキング用ギヤ６６が固定され、スライダ７８の内周歯７８Ａはパーキング位置に於いてキャリア４０の外周歯８４及びパーキング用ギヤ６６の外周歯６６Ａと噛み合い、キャリア４０及び出力軸１６の回転を拘束するので、連結切換装置６４により無段変速装置をパーキング位置に設定することができ、連結切換装置とは独立のパーキング位置設定装置は不要であり、従ってこのことによっても前述の先の提案にかかる無段変速装置の場合よりも更に一層無段変速装置を小型化し、構造を単純化し、部品点数を低減することができる。
【００４２】
また図示の実施形態によれば、連結切換装置６４に於ける位置、即ちＤ位置、Ｎ位置、Ｒ位置、Ｐ位置の順序はシフトレバーのシフト位置の順序と同一であるので、単純な構成にてシフトレバーの動きをスライダ７８へ伝達することができ、従ってこのことによっても無段変速装置を小型化し、構造を単純化し、部品点数を低減することができる。
【００４３】
また出力部材としての差動歯車装置４４より左右の駆動輪６０及び６２へ至る回転駆動力伝達経路は本発明の構造よっては制約を受けず、任意の構成のものであってよく、図示の実施形態によれば、前述の先の提案にかかる無段変速装置の実施例と同様、駆動軸５６は無段変速機１０の中空の出力軸１６を貫通して延在しているので、上記実施例の場合と同様、このことによっても無段変速装置を小型化することができる。
【００４４】
以上に於いては本発明を特定の実施形態について詳細に説明したが、本発明は上述の実施形態に限定されるものではなく、本発明の範囲内にて他の種々の実施形態が可能であることは当業者にとって明らかであろう。
【００４５】
例えば上述の実施形態に於いては、出力軸１６にパーキング用ギヤ６６が固定され、遊星歯車装置３２は連結切換装置６４によりパーキング位置にも設定されるようになっているが、パーキング用ギヤ６６が省略され、遊星歯車装置３２は従来より周知のパーキング位置設定装置によりパーキング位置に設定されるよう修正されてもよい。
【００４６】
また上述の実施形態に於いては、プラネタリギヤ３８の第一のギヤ４２は第二のギヤ４８よりも大きいピッチ円直径を有しているが、これらのギヤのピッチ円直径は逆の関係であってもよく、また互いに同一の値であってもよい。
【００４７】
また上述の実施形態に於いては、プラネタリギヤ３８の第二のギヤ４８は差動歯車装置４４のギヤ４６の内周歯４６Ａと噛み合うようになっているが、差動歯車装置４４のギヤ４６に内周歯４６Ａに代えて外周歯が設けられ、第二のギヤ４８が遊星歯車装置３２の軸線と平行な軸線の周りに回転可能な回転方向逆転用の遊動ギヤを介して差動歯車装置４４のギヤ４６の外周歯と噛み合うよう修正されてもよい。
【００４８】
更に上述の実施形態に於いては、パーキング用ギヤ６６は出力軸１６に固定されているが、パーキング用ギヤ６６がプラネタリギヤ３８の軸部に固定され、その外周歯６６Ａが第二の噛合歯車７２の外周歯８６に近接してその図にて右側に配置され、プラネタリギヤ３８の第二のギヤ４８が遊動ギヤを介することなく差動歯車装置４４のギヤ４６の外周歯と噛み合い、これにより連結切換装置６４のＤ位置、Ｎ位置、Ｒ位置、Ｐ位置の順序が図示の順序とは逆の順序に設定されてもよい。
【図面の簡単な説明】
【図１】ベルト式無段変速装置として構成された本発明による車輌用無段変速装置の一つの実施形態を示すスケルトン図である。
【図２】図１に示された実施形態の要部を拡大して示すスケルトン図である。
【符号の説明】
１０…ベルト式無段変速機
１４…入力軸
１６…出力軸
３２…遊星歯車装置
３４…サンギヤ
３６…リングギヤ
３８…プラネタリギヤ
４０…キャリア
４４…差動歯車装置
６４…連結切換装置
６６…パーキング用ギヤ
６８…同期噛合型連結装置
７８…スライダ
【図１】
0004147788.tif 000002
【図２】
0004147788.tif 000003